(57)【特許請求の範囲】
【請求項１】
包装体内に揮散性薬剤と蓄光顔料を無機担持体又はプラスチックの担持体に担持させた複数の蓄光材とを収容し、蓄光材が揮散性薬剤中に略均一に点在するように、蓄光材を揮散性薬剤中に分散させたことを特徴とする薬剤揮散装置。
【請求項２】
上記揮散性薬剤をゲル状とした請求項１に記載の薬剤揮散装置。
【請求項３】
上記揮散性薬剤を液状とした請求項１に記載の薬剤揮散装置。
【請求項４】
上記包装体の少なくとも一部を透光性とした請求項１〜３の何れか１項に記載の薬剤揮散装置。
【請求項５】
上記包装体に装飾を施した請求項１〜４の何れか１項に記載の薬剤揮散装置。
【請求項６】
前記包装体の装飾を蓄光処理によるものとした請求項５に記載の薬剤揮散装置。
【請求項７】
上記包装体及び／又は揮散性薬剤及び／又は蓄光材に、同種の色彩若しくは異種の色彩を施した請求項１〜６の何れか１項に記載の薬剤揮散装置。
【請求項８】
上記揮散性薬剤が芳香剤、消臭剤、防臭剤、防虫剤のうち一種又は複数種を含むものとした請求項１〜７の何れか１項に記載の薬剤揮散装置。
【発明の詳細な説明】
【０００１】
【発明の属する技術分野】
本発明は薬剤揮散装置に関し、特に、装飾機能を発揮する薬剤揮散装置に関する。
【０００２】
【従来技術およびその問題点】
従来から、液状やゲル状の芳香剤や消臭剤等の薬剤を収容した薬剤揮散装置がある。この薬剤揮散装置は、揮散性薬剤（芳香剤、消臭剤、防臭剤、防虫剤等）を包装体に収容した態様のものであり、トイレ、部屋、玄関、車の中等に載置し、包装体の開口部より揮散性薬剤を揮散させて周囲に薬剤機能を発揮するものである。
【０００３】
近年においては、その薬剤機能はもちろんのこと、薬剤揮散装置自体の意匠性、デザイン性の向上が求められている。例えば香料を含んだ有色透明の揮散性薬剤を無色の透明乃至半透明の包装体内に収容してなる薬剤揮散装置等が提案されている。これら従来の薬剤揮散装置では、収容する揮散性薬剤に任意に選択した色彩を施したり、包装体自体にデザインを施したり、包装体内に揮散性薬剤と共に装飾体を収容している。
【０００４】
このような薬剤揮散装置においては、無色透明の包装体内に収容した有色透明の揮散性薬剤を包装体外方から目視することが可能であり、揮散性薬剤を包装体外方から直接見られることになる。
【０００５】
しかしながら、包装体や薬剤の色彩等に工夫を凝らした従来の薬剤揮散装置にあっては、太陽光や蛍光灯等の照明器具の光によって室内が明るいときはその装飾機能を発揮することができるものの、夜間の車の中や、夜の就寝時等に照明を消した部屋の中の様な暗所においては全く目視することができず装飾機能を発揮することができない。
【０００６】
本発明は上記問題点に着目し、これを解決せんとしたものであり、その目的は、さらなる意匠性、デザイン性の向上により商品価値を高め、暗所においても装飾機能を発揮する薬剤揮散装置を提供することにある。
【０００７】
【問題点を解決するための手段】
上記の問題点を解決するために本発明の薬剤揮散装置は、包装体内に揮散性薬剤と蓄光顔料を無機担持体又はプラスチックの担持体に担持させた複数の蓄光材とを収容し、蓄光材が揮散性薬剤中に略均一に点在するように、蓄光材を揮散性薬剤中に分散させたことを特徴とする。本発明の他の薬剤揮散装置は、上記揮散性薬剤をゲル状とした。本発明の他の薬剤揮散装置は、上記揮散性薬剤を液状とした。本発明の他の薬剤揮散装置は、上記包装体の少なくとも一部を透光性とした。本発明の他の薬剤揮散装置は、上記包装体に装飾を施した。本発明の他の薬剤揮散装置は、上記包装体の装飾を蓄光処理によるものとした。本発明の他の薬剤揮散装置は、上記包装体及び／又は揮散性薬剤及び／又は蓄光材に、同種の色彩若しくは異種の色彩を施した。本発明の他の薬剤揮散装置は、上記揮散性薬剤が芳香剤、消臭剤、防臭剤、防虫剤のうち一種又は複数種を含むものとした。
【０００８】
【作用】
本発明の薬剤揮散装置は、包装体内に収容した揮散性薬剤が周囲に揮散してその成分に応じた薬剤機能を発揮しつつ、包装体内に収容した蓄光材が太陽光や蛍光灯等の照明器具の光（励起光）が照射される明所においてその励起光を吸収蓄積し、この吸収蓄積した光（蓄積光）を暗所において徐々に放出発光する。そして、均一に分散させた蓄光材が複数の点在箇所においてポイント発光するようになる。本発明の他の薬剤揮散装置は、上記揮散性薬剤をゲル状としたことにより、包装体内に収容される蓄光材を所定位置に保つことが液体に比べ容易である。本発明の他の薬剤揮散装置は、上記揮散性薬剤を液状としたことにより、包装体内に揮散性薬剤と共に収容した蓄光材が、包装体内を遊動することが可能になる。本発明の他の薬剤揮散装置は、上記包装体の少なくとも一部を透光性としたことにより、包装体内に収容した蓄光材を包装体の外方から簡単に目視することが可能になる。本発明の他の薬剤揮散装置は、上記包装体に装飾を施したことにより、装飾機能が向上する。本発明の他の薬剤揮散装置は、上記包装体の装飾を蓄光処理によるものとしたことにより、更に特異な装飾機能を発揮する。本発明の他の薬剤揮散装置は、上記包装体及び／又は揮散性薬剤及び／又は蓄光材に、同種の色彩若しくは異種の色彩を施したことにより、当該装置の美観について選択の範囲を大幅に拡げることが可能になる。本発明の他の薬剤揮散装置は、上記揮散性薬剤が芳香剤、消臭剤、防臭剤、防虫剤のうち一種又は複数種を含むものとしたことにより、揮散性薬剤が周囲に揮散してその成分に応じた薬剤機能を発揮しつつ、装飾機能を発揮することが可能になる。
【０００９】
【発明の実施の形態】
以下、本発明の実施の形態を添付図面に基づいて説明する。ここで図１〜図６は第１の実施形態、図７は第２の実施形態、図８は第３の実施形態、図９は第４の実施形態、図１０は第５の実施形態である。
【００１０】
図１〜図６には、ゲル状の芳香剤（揮散性薬剤）を包装体に収容した装置態様が第１の実施形態として示されている。この薬剤揮散装置は、包装体１３内に、芳香剤（揮散性薬剤）１１と、複数の蓄光材１２とを収容したものであり、複数の蓄光材１２を略均一に分散させて設けている。
【００１１】
芳香剤１１は、有色透明であり、長期間にわたって徐々に揮散するものであって、周囲に揮散することで芳香剤機能を発揮する。また芳香剤１１は、包装体１３内において略均一に分散して設けられる複数の蓄光材１２を所定位置に保持する。尚、この芳香剤１１は、蓄光材１２の発光色と異種の色彩に着色されている。
【００１２】
包装体１３内に設けられた各蓄光材１２は、粒状に形成されたプラスチック製ペレットに蓄光顔料を練り込んだものである。このペレットに練り込んだ蓄光顔料が、太陽光や照明器具の光（励起光）を受ける明所においてその励起光を吸収蓄積した後、この吸収蓄積した蓄積光を暗所において徐々に放出発光する。従って、上記蓄光材を収容した当該装置芳香剤を所望の場所に載置することで、暗所においても芳香剤として特異な美観を起こさせて視覚的に楽しむことが可能であるといった装飾機能を発揮することができる。特にここでは、包装体内に均一に分散させて設けられた蓄光材が複数の所定点在箇所においてポイント発光するので、このポイント発光によって当該装置をイルミネーションのように装飾することが可能になり、装飾機能をより向上することができる。尚、上記蓄光材１２は、ペレットに対して重量比１０〜２０％の蓄光顔料を練り込んでいるが、蓄光顔料の混合割合を多くすることで更に高輝度となり、また透明度（励起光及び蓄光発光の透過率）が良いほど高輝度になる。
【００１３】
包装体１３は、透明の器状に形成された収容部材１３ａ及び蓋部材１３ｂからなり、収容する芳香剤１１の成形型を兼ねた収容部材１３ａの上方開放口外周が雄ねじ状に形成されており、雌ねじ状に形成された内周を有する蓋部材１３ｂが収容部材１３ａの上記開放口に螺着されており、収容した蓄光材１２を包装体１３の外方から目視確認することができるようになっている。尚、各部材１３ａ，１３ｂは、プラスチックより成形されている。また蓋部材１３ｂには外方に連通する窓１３ｂ’が設けられており、この窓１３ｂ’を通じて芳香剤が周囲に揮散される。この包装体１３では蓋部材１３ｂを収容部材１３ａに対して取り付けるにあたり螺合手段を採用したが、これに代えて蓋部材１３ｂを収容部材１３ａに対して開閉可能に枢着させる枢着手段を採用してもよい。
【００１４】
包装体１３内に芳香剤１１及び蓄光材１２を収容するにあたっては、芳香剤１１と蓄光材１２との比重を略同一にし、ゲル化剤、香料、水、及び蓄光材を撹拌混合することで、蓄光材１２を均一に分散させて設けることができる。尚、この撹拌混合は、収容部材１３ａへの注入に先立って予め行なってもよいし、収容部材１３ａへ注入した後に行ってもよい。
【００１５】
この実施形態においては揮散性薬剤としてゲル状の芳香剤を用いた装置態様について説明したが、上記芳香剤に代えて又は上記芳香剤と共に消臭剤、防臭剤、防虫剤等他の薬剤を用いた装置態様とすることができるほか、液状、固形状、ゾル状といった他の様態の薬剤を用いた装置態様としてもよい。
【００１６】
図７には、ゲル状の消臭剤（揮散性薬剤）を包装体に収容した装置態様が第２の実施形態として示されている。この薬剤揮散装置は、包装体２３内に、消臭剤（揮散性薬剤）２１と、蓄光材２２とを収容したものであり、蓄光材２２を複数カ所に層状に設けている。
【００１７】
消臭剤２１は、有色透明であり、長期間にわたって徐々に揮散する徐放性のものであって、周囲に揮散することで消臭剤機能を発揮する。また消臭剤２１は、包装体２３内において複数カ所に層状に設けられるゲル状の蓄光材２２を所定位置に保持する。尚、この消臭剤２１は、蓄光材２２の発光色と異種の色彩に着色されている。
【００１８】
包装体２３内に設けられた各蓄光材２２は、ゲル状材（半固体）に蓄光顔料を含浸させたものであり、上述した第１の実施形態におけるものと概ね同様であるので重複説明を避けるが、特にここでは、包装体内に層状に設けられた蓄光材が所定層状範囲においてエリア発光するので、このエリア発光によって当該装置をイルミネーションのように装飾することが可能になり、装飾機能をより向上することができる。
【００１９】
包装体２３は、透明の器状に形成された収容部材２３ａ及び蓋部材２３ｂからなり、収容する消臭剤２１の成形型を兼ねた収容部材２３ａの上方開放口外周が雄ねじ状に形成されており、雌ねじ状に形成された内周を有する蓋部材２３ｂが収容部材２３ａの上記開放口に螺着されており、収容した蓄光材２２を包装体２３の外方から目視確認することができるようになっている。尚、各部材２３ａ，２３ｂは、プラスチックより成形されている。また蓋部材２３ｂには外方に連通する窓２３ｂ’が設けられており、この窓２３ｂ’を通じて消臭剤が周囲に揮散される。この包装体２３では蓋部材２３ｂを収容部材２３ａに対して取り付けるにあたり螺合手段を採用したが、これに代えて蓋部材２３ｂを収容部材２３ａに対して開閉可能に枢着させる枢着手段を採用してもよい。
【００２０】
また包装体２３内に消臭剤２１及び蓄光材２２を収容するにあたっては、消臭剤２１と蓄光材２２との比重を略同一にし、収容部材２３ａに消臭剤２１を注入して固化する工程と、収容部材２３ａに蓄光材２２を注入して固化する工程とを繰り返すことで、蓄光材２２を層状に設けることができる。
【００２１】
この実施形態においては揮散性薬剤としてゲル状の消臭剤を用いた装置態様として説明したが、上記消臭剤に代えて又は上記消臭剤と共に芳香剤、防臭剤、防虫剤等他の薬剤を用いた装置態様とすることができるほか、液状、固形状、ゾル状等といった他の様態の薬剤を用いた装置態様としてもよい。
【００２２】
図８には、固形状の防臭剤（揮散性薬剤）を包装体に収容した装置態様が第３の実施形態として示されている。この薬剤揮散装置は、包装体３３内に、防臭剤（揮散性薬剤）３１と、複数の蓄光材３２とを収容したものであり、複数の蓄光材３２を略均一に分散させて設けている。
【００２３】
防臭剤３１は、ゲル状の有色透明であり、長期間にわたって徐々に揮散するものであって、周囲に揮散することで防臭剤機能を発揮する。また防臭剤３１は、包装体３３内において略均一に分散して設けられる複数の蓄光材３２を所定位置に保持する。尚、この防臭剤３１は、蓄光材３２の発光色と異種の色彩に着色されている。
【００２４】
包装体３３内に設けられた各蓄光材３２は、粒状に形成されたプラスチック製ペレットに蓄光顔料を練り込んだものであり、上述した第１の実施形態におけるものと概ね同様であるので重複説明を避ける。
【００２５】
包装体３３は、器状に形成された収容部材３３ａ及び蓋部材３３ｂからなり、防臭剤３１を収容する収容部材３３ａの中央部に上方に突出して筒孔状に形成された被嵌入部に、この被嵌入部に合致するように形成された筒棒状の嵌入部を有する蓋部材３３ｂが収容部材３３ａの上記被嵌入部に挿設されている。尚、各部材３３ａ，３３ｂは、プラスチックより成形されている。また蓋部材３３ｂは、収容部材３３ａの被嵌入部に沿って上下方向に摺動するようになっており、上方に摺動させた状態にすることで、防臭剤３１が外方と連通して周囲に揮散される。この包装体３３では蓋部材３３ｂを持ち上げて使用するため使用状態においては薬剤（防臭剤３１）及び蓄光材３２が外方から目視することができるように露出することになる。そのため、収容部材３３ａ及び蓋部材３３ｂは必ずしも透明である必要はなく、不透明のものであっても構わない。
【００２６】
包装体３３内に防臭剤３１及び蓄光材３２を収容するにあたっては、防臭剤３１と蓄光材３２との比重を略同一にし、ゲル化剤、防臭剤、水、及び蓄光材を撹拌混合し、これをゲル化することで、蓄光材３２を均一に分散させて設けることができる。尚、この撹拌混合は、図示しない成形型へ注入して行なう。
【００２７】
この実施形態においては揮散性薬剤として固形状の防臭剤を用いた装置態様について説明したが、上記防臭剤に代えて又は上記防臭剤と共に芳香剤、消臭剤、防虫剤等他の薬剤を用いた装置態様とすることができるほか、液状、固形状、ゾル状等といった他の様態の薬剤を用いた装置態様としてもよい。
【００２８】
図９には、液状の芳香剤（揮散性薬剤）を包装体に収容した装置態様が第４の実施形態として示されている。この薬剤揮散装置は、包装体４３内に、芳香剤（揮散性薬剤）４１と、複数の蓄光材４２とを収容したものである。
【００２９】
芳香剤４１は、有色透明であり、長期間にわたって徐々に揮散するものであって、周囲に揮散することで芳香剤機能を発揮する。また芳香剤４１は、包装体４３内に設けられる複数の蓄光材４２を遊動可能に内包している。尚、この芳香剤４１は、蓄光材４２の発光色と異種の色彩に着色されている。
【００３０】
包装体４３内に設けられた各蓄光材４２は、粒状に形成されたプラスチック製ペレットに蓄光顔料を練り込んだものであり、上述した第１の実施形態におけるものと概ね同様であるので重複説明を避けるが、特にここでは当該装置を動かしたとき、例えば車中に載置した当該装置が車の振動に伴って動いたときに、包装体４３内に液状の芳香剤４１と共に収容された蓄光材４２をそれ以前まで沈殿していた状態から液状の芳香剤中に舞い上がって浮遊するように遊動させることが可能であり、遊動しながら複数の点在箇所においてポイント発光するので、このポイント発光によって当該装置をイルミネーションのように装飾することが可能になり、装飾機能をより向上することができる。尚、蓄光材４２と薬剤との比重を慎重に調整することで、各蓄光材４２を包装体内において均一に分散させることも可能であり、各蓄光材４２を異なる比重のものにしてもよい。
【００３１】
包装体４３は、透明の器状に形成されており、中央部に棒状の吸液芯４４をその一端が液状の芳香剤４１に浸漬されるように設けており、収容した蓄光材４２を包装体４３の外方から目視確認することができるようになっている。尚、包装体４３は、プラスチックより成形されている。また吸液芯４４が外方に通じており、この吸液芯４４を介して芳香剤４１が周囲に揮散される。
【００３２】
この実施形態においては揮散性薬剤として液状の芳香剤を用いた装置態様について説明したが、上記芳香剤に代えて又は上記芳香剤と共に消臭剤、防臭剤、防虫剤等他の薬剤を用いた装置態様とすることができる。
【００３３】
図１０には、ゲル状の芳香剤（揮散性薬剤）を包装体に収容した装置態様が第５の実施形態として示されている。この薬剤揮散装置は、包装体５３内に、芳香剤（揮散性薬剤）５１と、蓄光材５２とを収容したものであり、蓄光材５２を複数カ所に均一に分散させて層状に設けている。
【００３４】
芳香剤５１は、有色透明であり、長期間にわたって徐々に揮散する徐放性のものであって、周囲に揮散することで芳香剤機能を発揮する。また芳香剤５１は、包装体５３内において複数カ所に均一に分散して設けられる蓄光材５２を所定位置に保持する。尚、この芳香剤５１は、蓄光材５２の発光色と異種の色彩に着色されている。
【００３５】
包装体５３内に設けられた各蓄光材５２は、星形粒状に形成されたプラスチック製ペレットに蓄光顔料を練り込んだものであり、上述した第１の実施形態におけるものと概ね同様であるので重複説明を避ける。
【００３６】
包装体５３は、透明の器状に形成された収容部材５３ａ及び蓋部材５３ｂからなり、収容する芳香剤５１の成形型を兼ねた収容部材５３ａの上方に、蓋部材５３ｂが嵌着されており、収容した蓄光材５２を包装体５３の外方から目視確認することができるようになっている。尚、各部材５３ａ，５３ｂは、プラスチックより成形されている。また蓋部材５３ｂには外方に連通する窓５３ｂ’が設けられており、この窓５３ｂ’を通じて芳香剤が周囲に揮散される。上記収容部材５３ａの表面には、家屋を模して図案化された絵柄５３ａ’が施されている。
【００３７】
また包装体５３内に芳香剤５１及び蓄光材５２を収容するにあたっては、芳香剤５１と蓄光材５２との比重を略同一にし、ゲル状の芳香剤、水、蓄光材を撹拌混合することで、蓄光材５２を均一に分散させて設けることができる。尚、この撹拌混合は、収容部材５３ａへの注入に先立って予め行なってもよいし、収容部材５３ａへ注入した後に行なってもよい。
【００３８】
この実施形態においては揮散性薬剤としてゲル状の芳香剤を用いた装置態様として説明したが、上記芳香剤に代えて又は上記芳香剤と共に消臭剤、防臭剤、防虫剤等他の薬剤を用いた装置態様とすることができるほか、液状、固形状、ゾル状等といった他の様態の薬剤を用いた装置態様としてもよい。
【００３９】
以上、第１〜第５の実施形態について説明したが、各装置態様において用いる揮散性薬剤としては、芳香剤、消臭剤、防臭剤、防虫剤等のうち一種又は複数種の薬剤を用い、液体、固体、ゲル状、ゾル状等といった様態のものを用途に応じて採用することができる。尚、薬剤は水性であっても油性であっても構わない。揮散性薬剤をゲル状、ゾル状にする場合は、薬剤が油性のものを用いる場合には吸油性樹脂、水添ヒマシ油、１２−ヒドロキシステアリン酸等によってゲル状、ゾル状にすることができ、薬剤が水性のものを用いる場合には高吸水性樹脂、カラギーナン、ジェランガム、ゼラチン等によりゲル状、ゾル状にすることができる。
【００４０】
上述した各実施形態における蓄光顔料は、ＺｎＳ：Ｃｕ（硫化亜鉛：胴）等を主成分としたもののほか、ＺｎＳ（硫化亜鉛）、ＣａＳ（硫化カルシウム）等を主成分としたものや、これらの表面にラジオアイソトープを固着するなどしたもので、蓄光発光は、励起光の種類と明るさ及び蓄光顔料の種類、周囲の明るさ、目の暗順応、面積、距離等に左右されるが、暗所でおおよそ２〜８時間程度は目視確認することができる。蓄光顔料の粒度は特に限定されない。
【００４１】
上記各実施形態において放出発光される蓄光顔料の発光色、即ち蓄光材の発光色は、上記態様においては黄緑色であるが、目的に応じて任意の色彩に設定することができる。また、上記各実施形態においては薬剤を有色透明としたが、無色透明としてもよい。薬剤自体の色彩と蓄光材の色彩とは同種としてもよいが、特に薬剤自体の色彩と蓄光材の発光色とを異種の色彩にすることで、その発光色について鮮明度を損なうことなく、蓄光顔料の鮮明さを透過させるので、特異な美観を充分発揮することができる。上述した蓄光材を構成するペレットやゲル状材についても、同様に蓄光顔料の発光色と異種の色彩にすることが望ましい。
【００４２】
また蓄光顔料は、そのまま蓄光材として用いてもよく、上記実施形態において述べたプラスチック製ペレットのような固体のものに練り込んだり、ゲル状にするなどして、担持体（紙、木、シリカ、ゼオライト、セルロースビーズ等の無機担持体、ＰＰ、ＰＥ等のプラスチック）に担持させて蓄光材として用いることができる。担持体による蓄光顔料の担持量は、全体重量の０．１％〜５０％の範囲内で適宜選択することが望ましい。０．１％を下回る場合には発光が少なく有効な装飾効果が得られず、５０％を越える場合にはコスト的に高価になり、担持体としてプラスチックを採用して成形することが困難だからである。尚、担持体は、耐薬性を有するものであればよく、あらゆる形態にすることができる。このような固体及び／又は半固体の担持体に蓄光顔料を含浸させて構成した蓄光材を任意の形態及び配置関係に設定することにより、文字、図形、記号、若しくは立体的形状、若しくはこれらの結合、又はこれらと色彩との結合等を現すことが可能であり、装飾性に富んだ薬剤揮散装置を提供することができる。
【００４３】
蓄光材を包装体内において均一に分散させて設けるには、蓄光材と揮散性薬剤との比重を同程度にする必要がある。蓄光顔料はその重量（３〜５ｇ／ｃｍ3 ）が比較的重いので、紙、木、ＰＰ、セルロースといった重量の軽い担持体に担持させた蓄光材とすることにより、揮散性薬剤と比重をあわせることができる。例えばＰＰ中に蓄光顔料を０．５％〜１５％程度担持させることにより揮散性薬剤と比重をあわせることができる。尚、液状の揮散性薬剤を用いる装置態様ではシビアな調整が必要であるが、ゲル状の揮散性薬剤を用いる装置態様ではシビアな調整が不要であり、均一に分散させやすい。
【００４４】
また包装体内に液状の揮散性薬剤と共に蓄光材を収容する場合には、当該装置を動かしたとき、例えば車中に載置した当該装置が車の振動に伴って動いたときに、包装体内に液状の芳香剤と共に収容された蓄光材をそれ以前まで沈殿していた状態から液状の芳香剤中に舞い上がって浮遊するように遊動させることが可能であり、遊動しながら複数の点在箇所においてポイント発光するので、このポイント発光によって当該装置をイルミネ−ションのように装飾することが可能になり、装飾機能をより向上することができる。
【００４５】
尚、包装体は、耐薬性を有し、収容した薬剤を漏洩させないものであることを満たすものであればよく、用途に応じた適当な形態とすることができ、包装体表面にシボや凹凸等の装飾を施したり、蓄光顔料でデザインを施すといった蓄光処理により装飾を施してもよく、広く知られたあらゆる形態のものを採用することができる。包装体の材質は、プラスチック等の合成樹脂のほか、ガラスを用いてもよく、成形加工、コスト等の任意の材質を選定すればよい。但し、包装体の少なくとも一部については、無色であるか有色であるかは問わないが透明若しくは半透明とし、包装体の内方を外方から目視確認することができる透光性のものであることを要する。
【００４６】
【発明の効果】
本発明の薬剤揮散装置は、包装体に収容したゲル状の薬剤が周囲に揮散してその成分に応じた薬剤機能を発揮しつつ、包装体に収容した蓄光材が太陽光や蛍光灯等の照明器具の光（励起光）が照射される明所においてその励起光を吸収蓄積した後、この吸収蓄積した光（蓄積光）を暗所において徐々に放出発光するので、暗所においても特異な美観を起こさせて視覚的にも楽しむことが可能であるといった装飾機能を発揮することができる。
【００４７】
本発明の他の薬剤揮散装置は、上記揮散性薬剤をゲル状としたことにより、包装体内に収容される蓄光材を均一に分散させやすくなり、蓄光材を所定位置に保つことができる。
【００４８】
本発明の他の薬剤揮散装置は、上記揮散性薬剤を液状としたことにより、包装体内に揮散性薬剤と共に収容した蓄光材が、包装体内を遊動することが可能になるので、当該装置を動かしたとき、例えば車中に載置した当該装置が車の振動に伴って動いたときに、包装体内に液状の芳香剤と共に収容された蓄光材をそれ以前まで沈殿していた状態から液状の芳香剤中に舞い上がって浮遊するように遊動させることが可能であり、遊動しながら複数の点在箇所においてポイント発光するので、このポイント発光によって動きを付与した装飾機能を発揮し、当該装置をイルミネーションのように装飾することが可能になり、装飾機能をより向上することができる。
【００４９】
本発明の他の薬剤揮散装置は、均一に分散させた蓄光材が複数の点在箇所においてポイント発光するので、このポイント発光によって当該装置をイルミネーションのように装飾することが可能になり、装飾機能をより向上することができる。
【００５０】
本発明の他の薬剤揮散装置は、上記包装体の少なくとも一部を透光性としたことにより、包装体内に収容した蓄光材を包装体の外方から簡単に目視することが可能になるので、包装体内に収容した蓄光材の発光を確実に包装体の外方に照射することができる。
【００５１】
本発明の他の薬剤揮散装置は、上記包装体に装飾を施したことにより、装飾要素を更に付加され、装飾機能が向上する。
【００５２】
本発明の他の薬剤揮散装置は、上記包装体の装飾を蓄光処理によるものとしたことにより、明所のみならず暗所においても更に特異な装飾機能を発揮する。
【００５３】
本発明の他の薬剤揮散装置は、上記包装体及び／又は揮散性薬剤及び／又は蓄光材に、同種の色彩若しくは異種の色彩を施すことにより、当該装置の装飾について選択の範囲を大幅に拡げることが可能になる。
【００５４】
本発明の他の薬剤揮散装置は、上記揮散性薬剤が芳香剤、消臭剤、防臭剤、防虫剤のうち一種又は複数種を含むものとしたことにより、揮散性薬剤が周囲に揮散してその成分に応じた薬剤機能を発揮しつつ、装飾機能を発揮することが可能になり、薬剤として用いられるだけでなく、視覚的にも楽しむことができる。
【図面の簡単な説明】
【図１】  本発明の一実施形態を示した概略正面図である。
【図２】  図１の概略平面図である（蓄光材省略）。
【図３】  図１の概略底面図である（蓄光材省略）。
【図４】  図１の概略右側面図である（蓄光材省略）。
【図５】  図１のＡ−Ａ線に沿う横断面図である。
【図６】  図２のＢ−Ｂ線に沿う横断面図である。
【図７】  本発明の他の実施形態を示した概略斜視図である。
【図８】  （ａ）及び（ｂ）は本発明の他の実施形態を示した概略縦断面図である。
【図９】  （ａ）及び（ｂ）は本発明の他の実施形態を示した概略縦断面図である。
【図１０】  本発明の他の実施形態を示した概略正面図である。
【符号の説明】
１１……芳香剤（揮散性薬剤）
１２……蓄光材
１３……包装体
１３ａ……収容部材
１３ｂ……蓋部材
１３ｂ’……窓
２１……消臭剤（揮散性薬剤）
２２……蓄光材
２３……包装体
２３ａ……収容部材
２３ｂ……蓋部材
２３ｂ’……窓
３１……防臭剤（揮散性薬剤）
３２……蓄光材
３３……包装体
３３ａ……収容部材
３３ｂ……蓋部材
４１……芳香剤（揮散性薬剤）
４２……蓄光材
４３……包装体
４４……吸液芯
５１……芳香剤（揮散性薬剤）
５２……蓄光材
５３……包装体
５３ａ……収容部材
５３ａ’……絵柄
５３ｂ……蓋部材
５３ｂ’……窓
【図１】
0004733803.tif 000002
【図２】
0004733803.tif 000003
【図３】
0004733803.tif 000004
【図４】
0004733803.tif 000005
【図５】
0004733803.tif 000006
【図６】
0004733803.tif 000007
【図７】
0004733803.tif 000008
【図８】
0004733803.tif 000009
【図９】
0004733803.tif 000010
【図１０】
0004733803.tif 000011